(57)【要約】【課題】少量を吐出させる場合でも所望の量を正確に吐出できる吐出器を提供する。【解決手段】内容物を収容する収容体と、前記内容物を吐出させる、複数のピストンを有するポンプ部と、前記ピストンに当接して当該ピストンを押し下げることができる押圧体とを備え、前記押圧体は、前記ピストンの軸線方向に直交する面に沿って前記ポンプ部に対して移動可能であり、前記押圧体の前記移動によって、当接する前記ピストンの数を変更することができる。【選択図】図１
2019189259.tif 000002
【特許請求の範囲】
【請求項１】
内容物を収容する収容体と、
前記内容物を吐出させる、複数のピストンを有するポンプ部と、
前記ピストンに当接して当該ピストンを押し下げることができる押圧体と
を備え、
前記押圧体は、前記ピストンの軸線方向に直交する面に沿って前記ポンプ部に対して移動可能であり、前記押圧体の前記移動によって、当接する前記ピストンの数を変更することができる、吐出器。
【請求項２】
前記押圧体は、前記ピストンの軸線方向に沿った中心軸を中心として前記ポンプ部に対して回転可能である、請求項１に記載の吐出器。
【請求項３】
前記ポンプ部は、
吐出口と、
前記収容体から前記吐出口に連通する流路と、
それぞれ一端で前記流路に連通し、それぞれ他端で前記ピストンがそれぞれ摺動可能に設けられている複数のシリンダと
を備える、請求項１又は２に記載の吐出器。
【請求項４】
請求項１から３のいずれか一項に記載の吐出器を複数備え、
前記複数の吐出器から前記内容物を同時に吐出させることができる、吐出装置。
【請求項５】
前記複数の吐出器に備えられた前記押圧体は、同時に押し下げられる、請求項４に記載の吐出装置。
【請求項６】
前記押圧体を押し下げる際に前記複数の吐出器から吐出される内容物の比率は一定である、請求項５に記載の吐出装置。
【請求項７】
前記押圧体を支持するための、前記複数の吐出器に共通の支持体を備え、前記支持体を押し下げることによって、前記押圧体が押し下げられる、請求項４から６のいずれか一項に記載の吐出装置。
【請求項８】
前記押圧体は、それぞれ独立に、前記ピストンの軸線方向に直交する面に沿って前記ポンプ部に対して移動可能である、請求項４から７のいずれか一項に記載の吐出装置。
【請求項９】
前記複数の吐出器の少なくとも一つは、前記ピストンを３以上備える、請求項４から８のいずれか一項に記載の吐出装置。
【発明の詳細な説明】
【技術分野】
【０００１】
本発明は、吐出器、及び吐出装置に関する。
【背景技術】
【０００２】
収容体に収容された内容物を吐出させる、手動ポンプ式の吐出器が知られている。このような吐出器は、一般的に、ノズルヘッド等に設けられた押圧体によってピストンを押し下げ、その際に内容物が外部に吐出（放出）されるように構成されている（例えば、特許文献１）。
【先行技術文献】
【特許文献】
【０００３】
【特許文献１】特開平８−３３７２６３号公報
【発明の概要】
【発明が解決しようとする課題】
【０００４】
特許文献１に開示の吐出器では、ピストンの１回の押下げによって所定量の内容物が吐出されるようになっている。しかしながら、その所定量より少量の内容物を吐出させたい場合には、ピストンが押下げ工程の途中で止まるように押下げ具合を手動で調整する必要がある。このような手動の調整を正確に行うことは容易ではないので、従来の吐出器において、少量の吐出を正確に行うのは難しい。
【０００５】
上記の点に鑑みて、本発明の一態様は、少量を吐出させる場合でも所望の量を正確に吐出できる吐出器を提供することを課題とする。
【課題を解決するための手段】
【０００６】
上記課題を解決するために、本発明の一態様による吐出器は、内容物を収容する収容体と、前記内容物を吐出させる、複数のピストンを有するポンプ部と、前記ピストンに当接して当該ピストンを押し下げることができる押圧体とを備え、前記押圧体は、前記ピストンの軸線方向に直交する面に沿って前記ポンプ部に対して移動可能であり、前記押圧体の前記移動によって、当接する前記ピストンの数を変更することができる。
【発明の効果】
【０００７】
本発明の一態様によれば、少量を吐出させる場合でも所望の量を正確に吐出できる吐出器が提供される。
【図面の簡単な説明】
【０００８】
【図１】本発明の一実施形態による吐出装置の斜視図である。
【図２】図１の吐出装置の分解図である。
【図３】図１の吐出装置のＩ−Ｉ断面図である。
【図４】押圧体を下側から見た図である。
【図５】図１のＩＩ−ＩＩ線断面図を部分的に示す図である。
【図６】吐出器の機能について説明する図である。
【図７】吐出器の機能について説明する図である。
【図８】吐出器の機能について説明する図である。
【図９】吐出器の機能について説明する図である。
【発明を実施するための形態】
【０００９】
以下、本発明を実施するための形態について図面を参照しながら説明するが、本発明は本明細書に説明される実施形態に限定されるものではない。また、以下の説明において、ｘ方向、ｙ方向、ｚ方向は互いに垂直な方向であり、ｘ方向およびｙ方向は水平方向、ｚ方向は鉛直方向である。また、本明細書において、下側とは鉛直方向下側を意味し、上側とは鉛直方向上側を意味する。
【００１０】
図１に、本実施形態の斜視図を示す。図１には、例として、２つの吐出器１０Ａ及び１０Ｂを備えた吐出装置１００を示す。また、図２に、図1の吐出装置１００の分解図を示す。さらに、図３（ａ）には、図１の吐出装置１００のＩ−Ｉ線断面図（Ｉ−Ｉ矢視図）を、図３（ｂ）には、上面図を示す。
【００１１】
吐出器１０Ａ及び１０Ｂは、吐出器内部に収容された内容物をポンプにより外部に吐出させるよう構成されている。内容物は、少なくとも吐出時に流動性を示し、吐出口から押出し可能のものであれば限定されず、液体（液状物）を含む流体、粉体等とすることができる。また、内容物は、溶液、及び、エマルジョン、サスペンション等の分散体等であってよく、ゲル、スラリー、ペースト、クリーム等と呼ばれる状態のものであってよい。内容物が液体（液状物）である場合、水に近い粘度を有する状態のものであっても、粘性のあるクリーム状のものであってもよい。例えば、内容物の粘度は、３０℃で、３０００〜１５００００ｍＰａ・ｓであると好適であり、５０００〜３００００ｍＰａ・ｓであるとより好適である。内容物は、例えば、油性成分、水性成分、界面活性剤、皮膜剤、粉末、顔料、薬剤等を含むものであり、化粧水、乳液、日焼け止め、ファンデーション、化粧下地、コンシーラー、アイシャドー、リップ製品、ヘアケア製品、フレグランス製品等の用途に適用することができる。なお、内容物には、空気等の気体と混合されて泡状（フォーム状）となって吐出されるもの、又は泡状で収容されているものも含まれる。
【００１２】
以下において、まず各吐出器の構成及び機能について説明する。図示の形態では吐出器１０Ａ及び１０Ｂの構造は左右対称（ｙ方向に沿った面に関して面対称）であるが、基本的な構成及び機能は同様であるので、代表として吐出器１０Ａについて説明する。なお、後述のように、吐出器１０Ａ及び１０Ｂに共通の部材があるが、そのような共通の部材については、参照番号の後にＡ又はＢの符号は付されていない。
【００１３】
図１〜図３に示すように、吐出器１０Ａは、内容物を収容する収容体５０Ａと、収容体５０Ａ内に収容された内容物を外部に吐出するためのポンプ部２０Ａと、ポンプ部２０Ａ内の可動要素（ピストン）を押圧するための押圧部３０Ａとを備えている。
【００１４】
図２に示すように、ポンプ部２０Ａは、複数のピストン２２Ａａ、２２Ａｂ、及び２２Ａｃ（合せて２２Ａと呼ぶ場合がある）を有している。さらに、ポンプ部２０Ａはポンプ部本体２１を有し、ポンプ部本体２１には、ピストン２２Ａの数に対応する数のシリンダ（貫通孔）２３Ａａ、２３Ａｂ、及び２３Ａｃが形成されている。図示の形態では、ピストン２２Ａの数（すなわちシリンダ２３Ａの数）は３であるが、ピストン２２Ａは複数であればよく、その数は３に限られない。ピストン２２Ａの各々の一端（収容体５０Ａ側又は内容物ＬＡ側の端）は、複数のシリンダ２３Ａ内にそれぞれ挿入され、シリンダ２３Ａに対してそれぞれ液密に摺動可能となっている。
【００１５】
ポンプ部本体２１の下側には、筐体４０が配置されている。筐体４０は、ポンプ部本体２１と嵌合等によって液密に結合されている。図２及び図３（ａ）に示すように、筐体４０の上部には凹部が形成されているので、筐体４０とポンプ部本体２１とが結合することで空間が形成され、これにより内容物ＬＡが通る流路２７Ａを形成することができる。流路２７Ａは、ポンプ部本体２１の側面に形成された吐出口（ノズル）２４Ａに連通するようになっている。
【００１６】
なお、図２及び図３（ａ）に示すように複数の吐出器１０Ａ及び１０Ｂがｘ方向に沿って並設されており、ポンプ部本体２１及び筐体４０が、吐出器１０Ａ及び１０Ｂに共通の部材となっている場合、流路２７Ａと、隣接する吐出器１０Ｂの流路２７Ｂとは連通しないようになっている。具体的には、共通の筐体４０の上部には、吐出器１０Ａのための凹部４３Ａ、及び吐出器１０Ｂのための凹部４３Ｂが別個に形成されている。別の表現をすれば、流路２７Ａと流路２７Ｂとの間が仕切り４４で仕切られているといえる。
【００１７】
筐体４０は、収容体５０Ａを覆い、収容体５０Ａを保護する機能を有している。収容体５０Ａは、筐体４０の上部に、下側から（筐体４０の内側から）取り付けることができる。図示の形態では、収容体５０Ａの開口部５１Ａの側面にはねじが切られており、筐体４０の上部の下面にも、収容体５０Ａの開口部の側面に螺合するねじが形成されている。但し、収容体５０Ａは嵌合等の別の形式によって筐体４０へ取り付けられていてよい。
【００１８】
収容体５０Ａは筐体４０に着脱可能に取り付けられていることが好ましい。これにより、収容体５０Ａ内が空となった又は収容体５０Ａ内の内容物が少なくなった場合、その収容体を、内容物が充填された新たな収容体に取り換えることができる。そして、ポンプ部２０Ａ及び押圧部３０Ａを引き続き使用することができる。また、収容体５０Ａ内が空となった又は収容体５０Ａ内の内容物が少なくなった場合、収容体５０Ａを筐体４０から一旦外して内容物を充填し、再び筐体４０へ装着することもできる。
【００１９】
図３に示すように、筐体４０の上部には、取り付けられた収容体５０Ａ内部に連通する吸入口４１Ａが形成されている。そして、吸入口４１Ａには、収容体５０Ａに延びる吸入管４２Ａが連通している。ポンプ部３０Ａが動作することによって、内容物ＬＡは、吸入管４２Ａの先端から吸い上げられ、吸入口４１Ａを通って流路２７Ａに流入する。
【００２０】
なお、収容体５０Ａは、いわゆるエアレス容器として構成することができる。例えば、収容体５０Ａを、外容器と、外容器の内部に剥離可能に装着された可撓性を有する内袋とから構成し、内容物は内袋内に収容することができる。そして、ポンプ部の作用によって、内袋を減容変形させながら内容物を吸入口から吸い込むとともに、外容器に形成された空気流入孔を介して内袋と外容器との間に空気を送り込む構成とすることができる。或いは、収容体の内部に上下に摺動可能に中皿を配置し、この中皿よりも上方を内容物の収容部分とし、ポンプ部の作用によって中皿を上昇させることにより収容部分を減容させながら内容物を吐出させるよう構成することができる。このようなエアレス容器の構成は、空気と接することによって性質が劣化又は変化しやすい内容物を収容するのに適している。
【００２１】
押圧部３０Ａは、複数のピストン２２Ａを押し下げることができる押圧体３２Ａを備えている。図示の形態では、押圧体３２Ａはカップ状の形状を有し（図２）、その内側（下側）には、下側に向かって突出する押圧リブ３２Ａａが形成されている（図３（ａ））。押圧リブ３２Ａａは、上述の複数のピストン２２Ａの上端面（流路２７Ａと反対側又は内容物ＬＡのない側の端面）に当接可能となっている。そして、押圧リブ３２Ａａが押し下げられると、押圧リブ３２Ａａが当接するピストン２２Ａが押し下げられる。図３（ａ）には、押圧リブ３２Ａａが、少なくともピストン２２Ａａの上端面に当接していることが示されている。
【００２２】
図４に、押圧体３２Ａを下側（ピストン２２Ａが配置された側）から見た図を示す。押圧体３２Ａの下側（内側）から突出する押圧リブ３２Ａａは、平面視で、押圧体３２Ａの外縁に沿って湾曲する連続の帯状の形状を有している。但し、移動（回転）によって当接するピストン２２Ａの数を変更することができるのであれば、押圧リブ３２Ａａの平面視形状は、押圧体３２Ａの外縁の輪郭に沿っていなくてもよいし、不連続になっていてもよい。また、押圧体３２Ａは、平面視において中央に、下側に向かって突出する筒状突起３２Ａｃを備えている（図３（ａ）及び図４）。筒状突起３２Ａｃは、後述の支持体３４の突起３４Ａａと係合するように構成されている。図示の形態では、押圧リブ３２Ａａは、筒状突起３２Ａｃと結合している、すなわち筒状突起３２Ａｃから延びているが、両者は結合していなくてもよい。但し、押圧リブ３２Ａａと筒状突起３２Ａｃとが結合している図示の形態によれば強度を向上させることができるので、好ましい。
【００２３】
押圧体３２Ａの上側（押圧リブ３２Ａａと反対側）にはツマミ３２Ａｂが設けられており、使用者はこのツマミ３２Ａｂを持って押圧部３０Ａを回転させることができる。後で詳細に説明するように、この回転によって、押圧リブ３２Ａｂが当接するピストン２２Ａの数を変更することができる。
【００２４】
図１〜図３に示すように、押圧体３２Ａは、蓋体３１によって覆われていてよい。図示の形態では、押圧体３２Ａは使用者によって操作可能なツマミ３２Ａｂが、上側に突出しているので、蓋体３１はツマミ３２Ａｂの突出部分及び可動範囲を妨げないように設けられている。よって、蓋体３１は、上面に、少なくともツマミ３２Ａｂの突出部分及び可動範囲に対応する開口が形成された形状とすることができる（図２及び図３（ｂ））。
【００２５】
押圧体３２Ａは、支持体３４によって支持されている。そして、支持体３４と押圧体３２Ａとは共に動くように構成されている。支持体３４は、その下側に設けられたポンプ部本体２１に近付くように押下げることができる、その動きに伴って、押圧体３２Ａは支持体３４とともに押し下げられる。また、支持体３４が押し上げられると、その動きに伴って、押圧体３２Ａも押し上げられる。
【００２６】
図示の形態では、支持体３４の中央に上側に向かって突出する突起３４Ａａが設けられており、押圧体３２Ａの内側（下側）に設けられた筒状突起３２Ａｃと係合する。すなわち、支持体３４の突起３４Ａａが、押圧体３２Ａの筒状突起３２Ａｃ内に挿入される。筒状突起３２Ａｃは、支持体３４の突起３４Ａａに対して回転可能であるので、支持体３４の突起３４Ａａを中心として(突起３４Ａａの中心軸線を中心として)、押圧体３２Ａを回転させることができる。
【００２７】
支持体３４の下側にはスプリング３５が設けられている。使用者が支持体３４に圧力を加えて押し下げることによって、スプリング３５が圧縮されて付勢される。そして、使用者が支持体３４への加圧を解除すると、スプリング３５の復元力によって支持体３４は上側に向かって押し上げられ、元の位置に戻ることができる。
【００２８】
また、支持体３４の下側には、案内突起３４ｂが設けられていてもよい。この案内突起３４ｂは、ポンプ部本体２１の上側に形成された孔２１ａに挿入され、孔２１ａ内で摺動可能となっている。上記スプリング３５も孔２１ａ内に配置され、支持体３４の案内突起３４ｂは、スプリング３５内に挿入されていてよい。このように支持体３４の案内突起３４ｂがポンプ本体２１の孔２１ａ内に挿入され摺動可能となっていることで、支持体３４を安定的に上下方向（ｚ方向）に沿って動かすことができ、またスプリング３５を安定的に圧縮変形させることができる。
【００２９】
支持体３４には、図３（ａ）に示すように、複数のピストン２２Ａにそれぞれ対応する孔が形成されている。そして、ピストン２２Ａの上部は、各孔を通って支持体３４から上側に突き出ている。ここで、ピストン２２Ａの上部の径は、中央部の径よりも大きく、また支持体３４の孔の径より大きくなっている。よって、上述のように支持体３４が上側に向かって押し上げられて元の位置に戻される際には、ピストン２２Ａの上部は、孔を囲む支持体３４の部分に当接し、支持体３４とともに上側に持ち上げられる。
【００３０】
図５に、ポンプ部２０Ａの動作（ポンプ作用）による内容物ＬＡの流れを模式的に示す。図５は、図１のＩＩ−ＩＩ線断面を斜めから見た部分図を示す。ＩＩ−ＩＩ線断面は、複数のピストン２２Ａの１つ（ピストン２２Ａｃ）及び吐出口２４Ａを通る断面である。
【００３１】
上述のように、筐体４０の上部に凹部４３Ａが設けられ、筐体４０とポンプ部本体２１とが密に結合されることで、筐体４０とポンプ部本体２１との間に密閉空間が形成され、収容体５０Ａから吐出口２４Ａへと連通する流路２７Ａが形成される。すなわち、内容物ＬＡは、収容体５０Ａ内部から、筐体４０の上部に形成された吸入口４１Ａを通って、吐出口２４Ａに向かって流れることができる。
【００３２】
流路２７Ａの収容体５０Ａ側には吸入弁２６Ａが配置されている（図３（ａ）及び図５）。吸入弁２６Ａによって、一旦流路２７Ａに流入した内容物が収容体５０Ａに戻ることを防ぐことができる。図示の形態では、吸入弁２６Ａはボール弁であるが、弁の形式は図示のものに限られない。吸入弁２６Ａは、流路内２７Ａの若干の圧力変動の影響を受けて所望されないタイミングで開くことがないようにばね等によって軽く押圧されていてもよい。
【００３３】
一方、流路２７Ａの吐出口２４Ａ側には吐出弁２５Ａが配置されている。図示の形態では、吐出弁２５Ａは、弁本体２５Ａａと、吐出弁２５Ａのポンプ本体２１からの脱落を防ぐための固定部２５Ａｂと、弁本体２５Ａａと固定部２５Ａｂとを接続する接続部２５Ａｃとを有している。接続部２５Ａｂは可撓性であるので、内容物から受ける圧力の変化によって弁本体２５Ａａは上下方向（ｚ方向）に移動可能である。
【００３４】
ピストン２２Ａｃは、シリンダ２３Ａｃ内に液密に摺動可能に挿入されている。また、押圧体３２Ａの押圧リブ３２Ａａはピストン２２Ａｃの上端面に当接している。そのため、使用者が押圧部３０Ａに圧力を加え、これにより押圧体３２Ａの押圧リブ３２Ａａが下側に向かって押圧されると、ピストン２２Ａｃが押し下げられる。これにより、シリンダ２３Ａｃ内に充填されていた内容物が押し出され、流路２７Ａ内の圧力が高まる。これにより、吐出弁２５Ａの弁本体２５Ａａが上側に移動して開く。そして、吐出弁２５Ａが開くことによって、内容物ＬＡは吐出口２４Ａを通って外部へと吐出され得る。この際、流路２７Ａ内の圧力上昇によって、筐体４０の上部に設けられた吸入弁２６Ａは収容体５０Ａ側に押し付けられているので、吸入弁２６Ａは閉じた状態に維持される。そのため、内容物ＬＡが流路２７Ａから収容体５０Ａ内に逆流することを防止できる。
【００３５】
内容物ＬＡの吐出後、使用者によって押圧部３０Ａにかけられていた力が解除されると、付勢されていたスプリング３５（図２及び図３（ａ））の復元力によって支持体３４が押し上げられ、元の位置に戻る。上述のようにピストン２２Ａｃの上部は中央部よりも径が大きくなっているので、支持体３４の押上げに伴って、ピストン２２Ａｃも上方に移動して、上側に持ち上げられる。これにより、シリンダ２３Ａｃ内の圧力（流路２７Ａ内の圧力）が低下する。この圧力低下により吸入弁２６Ａが開き、収容体５０Ａに収容されていた内容物ＬＡが、吸入管４２Ａ及び吸入口４１Ａを通って、流路２７Ａ内へと吸い上げられる。一方、ピストン２２Ａｃの持ち上げにより流路内２７Ａが減圧されるため、吐出弁２５Ａは閉じた状態に維持されるので、内容物ＬＡの吐出は起こらない。
【００３６】
なお、吐出器１０Ａにおけるポンプ部２０Ａのポンプ形式は、図示のものに限られない。流路の形状、弁の配置等も適宜変更することができる。また、ピストンの押圧動作を電気的に行うこともできる。
【００３７】
次に、押圧体の回転と、押圧体が当接して押圧するピストンの数との関係について、図６〜図９を参照しながら説明する。図６〜図９は、吐出器１０Ｂの部分図である。図６〜図９のいずれにおいても、蓋体３１を取り外した押圧部３０Ｂの部分上面図を（ａ）として示し、（ａ）のＩＩＩ−ＩＩＩ線断面図を斜めから見た図を（ｂ）として示す。図６〜図９では、押圧体３２Ｂが回転することによって、押圧リブ３２Ｂａの配置が変更されている。
【００３８】
図６（ａ）においては、上面視で、押圧リブ３２Ｂａが３つのピストン２２Ｂａ、２２Ｂｂ、２２Ｂｃの上端面と重なっている。つまり、図６（ｂ）に示すように、押圧リブ３２Ｂａは、３つのピストン２２Ｂａ、２２Ｂｂ、２２Ｂｃの上端面に当接している。そのため、押圧部３０Ｂが押し下げられた場合、すなわち押圧リブ３２Ｂａが押し下げられた場合には、上記３つのピストン２２Ｂａ、２２Ｂｂ、及び２２Ｂｃが押圧リブ３２Ｂａによって全て押し下げられる。これにより、３つのピストン２２Ｂａ、２２Ｂｂ、及び２２Ｂｃによるポンプを全て作動させることができる。
【００３９】
図７に、図６に示された状態から、押圧体３２Ｂを時計回りに６０°回転させた後の状態を示す。図７（ａ）に示すように、押圧リブ３２Ｂａは、上面視で、ピストン２２Ｂｂ、２２Ｂｃの上端面と重なっている。つまり、図７（ｂ）に示すように、押圧リブ３２Ｂａは、２つのピストン２２Ｂｂ及び２２Ｂｃの上端面に当接している。そのため、押圧部３０Ｂ（押圧リブ３２Ｂａ）が押し下げられた場合、２つのピストン２２Ｂｂ及び２２Ｂｃが押し下げられ、ピストン２２Ｂａは押下げられない。
【００４０】
図７に示す押圧体３２Ｂの配置では、図６に示された状態よりも作動するピストンの数が少ない。そのため、押圧リブ３２Ｂａの同じ押下げ工程で、より少量の内容物を吐出させることができる。より具体的には、本形態におけるピストン２２Ｂａ、２２Ｂｂ、及び２２Ｂｃの各ピストンによって押し出される内容物の量が同じであれば、図７の押圧体３２Ｂの配置では、図６の押圧体３２Ｂの配置の場合と比べて内容物の吐出量は３分の２となる。
【００４１】
図８に、図７に示された状態から、押圧体３２Ｂを時計回りにさらに６０°回転させた後の状態を示す。図８（ａ）に示すように、押圧リブ３２Ｂａは、上面視で、ピストン２２Ｂｃの上端面と重なっており、ピストン２２Ｂａ、２２Ｂｂの上端面とは重なっていない。つまり、図８（ｂ）に示すように、押圧リブ３２Ｂａは、１つのピストン２２Ｂｃの上端面のみに当接している。そのため、押圧部３０Ｂ（押圧リブ３２Ｂａ）が押し下げられた場合、ピストン２２Ｂｃが押し下げられ、その他のピストン２２Ｂａ、２２Ｂｂは押下げられない。
【００４２】
図８に示す押圧体３２Ｂの配置では、図６及び図７に示された状態よりも作動するピストンの数が少ない。各ピストンによって押し出される内容物の量が同じであれば、図８の押圧体３２Ｂの配置では、図６の押圧体３２Ｂの配置の場合と比べて、押圧リブ３２Ｂの同じ押下げ工程で押し出される内容物の吐出量を３分の１とすることができる。
【００４３】
図９には、図８に示された状態から、押圧体３２Ｂを時計回りにさらに６０°回転させた後の状態を示す。図９（ａ）に示すように、押圧リブ３２Ｂａは、上面視で、いずれのピストン２２Ｂの上端面とも重なっていない。つまり、図８（ｂ）に示すように、押圧リブ３２Ｂａは、いずれのピストン２２Ｂの上端面とも当接しない。そのため、押圧部３０Ｂ（押圧体３２Ｂ）が押し下げられても、ピストン２２Ｂが押し下げられることはなく、内容物の吐出は起こらない。
【００４４】
このように、本形態では、押圧体３２Ｂを、ピストン２２Ｂ（ポンプ部２０Ｂ）に対して相対回転させることによって、押圧体３２Ｂが当接するピストン２２Ｂの数を変更することができる。そのため、同じ押下げ工程で吐出量を変更することができる。従来、１回の押下げ工程で吐出される吐出量を下回る少量を吐出させたい場合には、ピストンの押下げ具合を手動で調整して吐出動作を行う必要があった。その調整は感覚に頼る必要があったが、本形態によれば、ピストンの押下げ具合を手動で調整する必要がないので、少ない所望量であっても正確に吐出させることができる。
【００４５】
また、押圧体３２Ｂ（押圧リブ３２Ａａ）がいずれのピストン２２Ｂとも当接しない状態とすることができるため（図９）、押圧体３２Ｂを誤って押し下げてしまった場合の意図しない吐出も防止できる。
【００４６】
ピストン２２Ｂの数（ピストン２２Ｂ及びシリンダ２３Ｂの組合せの数）は２以上であればよいが、３以上であると好ましい。これにより、押圧体３２Ｂａの１回の押下げによって吐出される内容物の量を多段階に変更させることができる。
【００４７】
図６〜図９に示す形態では、押圧リブ３２Ｂａが当接するピストン２２Ｂの数は、押圧リブ３２Ｂａを約６０°回転させるごとに変更されるようになっているが、当接するピストン２２Ｂの数を変更させるための回転角度は、図示のものに限られず、ピストンの配置及び上端面の大きさ、押圧リブ３２Ｂａの大きさや形状等によって適宜設定することができる。
【００４８】
なお、図６〜図９に示す配置で吐出器１０Ｂを利用した場合には、３つのピストン２２Ｂのうち、ピストン２２Ｂｃが最も頻繁に動作することになり、ピストン２２Ｂａの動作の頻度は小さくなる場合がある。そのため、ピストン２２Ｂａに対応するシリンダ２３Ｂａに充填される内容物が比較的長期間、吐出器１０Ｂ内に保持される場合がある。そこで、図９に示す状態から、押圧体３２Ｂを時計回りにさらに６０°回転させて、押圧リブ３２Ｂａがピストン２２Ｂａの上端面に当接するようにすることもできる。これにより、ピストンＢａのみを作動させることができ、図８に示す場合と同じ吐出量の内容物を吐出させることができる。また、図９に示す状態から、押圧体３２Ｂを時計回りにさらに１２０°回転させて、押圧リブＢａが２つのピストン２２Ｂａ及び２２Ｂｂの上端面に当接するようにすれば、図７に示す場合と同じ吐出量の内容物を吐出させることができる。このような構成により、各ピストン２２Ｂの使用頻度を均一化し、また特定のピストン２２Ｂに対応するシリンダ２３Ｂ内に内容物が長期間充填されることを防止することができる。
【００４９】
また、上述の形態では、押圧体３２Ｂは、支持体３４及びポンプ部本体２１に対して（ピストン２２Ｂに対して）回転可能となっている。しかし、押圧体３２Ｂが、ピストン２２Ｂの軸線方向に直交する面方向に沿って移動可能であり、この移動によって押圧体３２Ｂが当接するピストン２２Ａの数を変更することができるのであれば、押圧体３２Ｂの移動は、上述の回転に限られない。例えば、押圧体３２Ｂが、ピストン２２Ｂの軸線方向に直交する面方向（ｘ方向）に沿って摺動可能になっていてもよい。その場合、押圧体３２Ｂをｘ方向に沿ってスライドさせることによって、平面視で重なるピストン２２Ｂの数を変更させることができる。
【００５０】
図１〜図３に示すように、本形態では、２つの吐出器１０Ａ及び吐出器１０Ｂが組み合わされて吐出装置１００を構成している。図示の形態では、吐出器１０Ａ及び１０Ｂは同様の構成（ピストンの数及びサイズ、形成される流路の大きさ等）を有しているが、構成の異なる吐出器を組み合わせることもできる。また、組み合わせる吐出器の数は３以上であってもよい。
【００５１】
また、吐出器１０Ａ及び吐出器１０Ｂから吐出される内容物は、同じであってもよいし異なっていてもよい。吐出器１０Ａ及び吐出器１０Ｂがそれぞれ異なる内容物を吐出する場合、本形態の吐出装置１００は、直前に混合して使用する複数の異なる内容物を吐出させる装置として用いることができる。本形態によれば、吐出器１０Ａ及び吐出器１０Ｂから内容物を同時に吐出させることができる。
【００５２】
吐出装置１００においては、押圧部３０Ａ及び３０Ｂにおける支持体３４及び蓋体３１、ポンプ部２０Ａおよび２０Ｂにおけるポンプ本体２１、並びに筐体４０は、両吐出器に共通の部材とすることができる。
【００５３】
支持体３４が、吐出器１０Ａと吐出器１０Ｂとに共通の部材である場合、支持体３４の押下げによって、押圧体３２Ａ及び押圧体３２Ｂは同時に押下げ可能となっている。ここで、同時に押下げ可能とは、押圧体３２Ａ及び押圧体３２Ｂが押し下げられる際、両者の押下げ開始時期及び押下げ終了時期を同じにできることを指す。このように両吐出器に共通の支持体３４があることで、吐出器１０Ａ及び吐出器１０Ｂから内容物を同時に吐出させることができる。
【００５４】
また、共通部材である支持体３４の押下げによって、押圧部３０Ａ及び押圧部３０Ｂ（押圧体３２Ａ及び押圧体３２Ｂ）を同行程で押下げることができる。すなわち、押下げ動作を最後まで（支持体３４がポンプ部本体２１の上面に当接してそれ以上押下げできなくなるまで）行っても途中で止めても、押圧体３２Ａ及び押圧体３２Ｂが押し下げられる工程（距離）は等しい。よって、吐出器１０Ａから吐出される内容物ＬＡの量と、吐出器１０Ｂから吐出される内容物ＬＢの量との比率は、押下げ動作を最後まで行っても途中で止めても同じである。すなわち、本形態では、支持体３４の押下げにより押圧部３０Ａ及び３０Ｂを押し下げる際に、各吐出器から吐出される内容物の比率を一定にすることができる。よって、意図的に又は意図的でなく押圧部の押下げを途中で止めた場合であっても、所望の比率で内容物を吐出させることができる。
【００５５】
押圧体３２Ａ及び３２Ｂは、それぞれ独立に回転可能である。すなわち、吐出器１０Ａにおいて押圧体３２Ａが当接して押し下げるピストン２２Ａの数と、吐出器１０Ｂにおいて押圧体３２Ｂが当接して押し下げるピストン２２Ｂの数とは、独立して変更可能である。このため、吐出器１０Ａから吐出させる内容物の量と、吐出器１０Ｂから吐出させる内容物の量とを、独立して設定することができる。よって、使用者は、使用時ごとに所望の比率で、各吐出器から各液状態を吐出させることができる。
【００５６】
上述の形態では、吐出器１０Ａ及び吐出器１０Ｂはそれぞれ、押出し量の等しいピストンを３つずつ備えている。そのため、吐出器１０Ａの押圧体３２Ａ及び吐出器１０Ｂの押圧体３２Ｂの配置をそれぞれ独立に調整した場合、吐出器１０Ａから吐出される内容物ＬＡの量と吐出器１０Ｂから吐出される内容物ＬＢの量との比率は、１：１、１：１．５、１：２、１：３と、段階的に変更することができる。この比率は、各吐出器に備えられているピストンの数を変更することで、上記比率を変化させることができる。
【００５７】
このように、本形態の吐出装置１００によれば、異なる性質を備えた複数の内容物を使用時ごとに異なる比率で混合して使用することができる。また、上述のように各吐出器において、１回の押下げで吐出される液状態の量を多段階に調節することができるので、合計（混合物）として少量の内容物を得たい場合には、各吐出器において押圧体が当接するピストンの数をそれぞれ減らすことによって、押圧部３０Ａ及び３０Ｂの押下げを途中で止めて押下げ工程を手動で調整せずに、所望の少量の内容物をより正確に吐出させることができる。
【００５８】
本形態による吐出装置１００においては、例えば、マット感を向上させる成分を多く含むファンデーション及びツヤ感を向上させる成分を多く含むファンデーションを、それぞれ２つの吐出器１０Ａ及び吐出器１０Ｂに収容することができる。そして、使用時ごとの希望に応じて吐出器１０Ａ及び吐出器１０Ｂの吐出量をそれぞれの押圧体３２Ａ及び３２Ｂのツマミ３２Ａｂ及び３２Ｂｂで独立して調整すれば、所望の仕上がり質感を得るためのファンデーション混合物を得ることができる。
【符号の説明】
【００５９】
１０Ａ、１０Ｂ  吐出器
２０Ａ、２０Ｂ  ポンプ部
２１  ポンプ部本体
２２Ａ、２２Ａａ、２２Ａｂ、２２Ａｃ、２２Ｂ、２２Ｂａ、２２Ｂｂ、２２Ｂｃ  ピストン
２３Ａ、２３Ａａ、２３Ａｂ、２３Ａｃ、２３Ｂ、２３Ｂａ、２３Ｂｂ、２３Ｂｃ  シリンダ
２４Ａ、２４Ｂ  吐出口
２５Ａ、２５Ｂ  吐出弁
２５Ａａ  弁本体
２５Ａｂ  固定部
２５Ａｃ  接続部
２６Ａ、２６Ｂ  吸入弁
２７Ａ、２８Ｂ  流路
３０Ａ、３０Ｂ  押圧部
３１  蓋体
３２Ａ、３２Ｂ  押圧体
３２Ａａ、３２Ｂａ  押圧リブ
３２Ａｂ、３２Ｂｂ  ツマミ
３２Ａｃ、３２Ｂｃ  筒状突起
３３Ａａ、３３Ａｂ、３３Ａｃ  シリンダ（貫通孔）
３４Ａａ  支持体
３４ａ  突起
３４ｂ  案内突起
３５  スプリング
４０  筐体
４１Ａ、４１Ｂ  吸入口
４２Ａ、４２Ｂ  吸入管
４３Ａ、４３Ｂ  凹部
４４  仕切り
５０Ａ、５０Ｂ  収容体
５１Ａ、５１Ｂ  開口部
１００  吐出装置
ＬＡ、ＬＢ  内容物
【図１】
2019189259.tif 000003
【図２】
2019189259.tif 000004
【図３】
2019189259.tif 000005
【図４】
2019189259.tif 000006
【図５】
2019189259.tif 000007
【図６】
2019189259.tif 000008
【図７】
2019189259.tif 000009
【図８】
2019189259.tif 000010
【図９】
2019189259.tif 000011